(57)【要約】      （修正有）【課題】ペットボトルを利用して観賞魚の飼育水槽とする際に、風力を利用して曝気可能とすると共に、飼育水だけを容易に交換可能とし、かつ自然な環境を演出し楽しめる飼育水槽を提供する。【解決手段】風力で回転するプロペラの縦軸又は横軸で回転駆動される水車をペットボトルに内蔵して、水車で水面を攪拌し曝気する構造としたため、ペットボトルの外部で発生している風力を有効利用して飼育水を曝気でき、安価にかつ簡易構造の飼育水槽を実現できる。また、ペットボトルの肩部に大開口を開けて飼育水の給水用とし、反対側に複数の小穴を開けて排水用としてあるため、給排水が容易になる。【選択図】図３
0003142504.tif 000002
【実用新案登録請求の範囲】
【請求項１】
容器として使用後のペットボトルの肩部に給水用の大開口を開け、反対側には排水用の小穴を複数開けてあること、
風力で回転するプロペラの鉛直軸又は横軸で回転駆動される水車をペットボトルに内蔵して、水車の回転でペットボトル中の飼育水を曝気可能としたことを特徴とする簡易型飼育水槽。
【請求項２】
前記の横軸で回転駆動される水車の複数の水受け部は、下側位置で飼育水を掬い上げ、上側に来ると放出する構成になっていることを特徴とする請求項１に記載の簡易型飼育水槽。
【請求項３】
前記の鉛直軸で回転駆動される水車を水面位置に設け、水面と平行方向に回転して水面付近を曝気する構成としたことを特徴とする請求項１に記載の簡易型飼育水槽。
【請求項４】
容器として使用後のペットボトルの肩部に給水用の大開口を開け、反対側には排水用の小穴を複数開けてあること、
風力で回転するプロペラの横軸で回転駆動される滑車をペットボトル内に設け、空隙および／又は抵抗部を持つ循環体を前記滑車にベルト状に保持させることで、循環体が上部空間とペットボトル中の飼育水間を循環移動する構造としたことを特徴とする簡易型飼育水槽。
【請求項５】
生け花用水を入れる容器を前記水槽の水中に立て、容器開口が水槽の上部空間に開口するように、引っ掛け手段で前記大開口の縁に引っ掛け保持させる構造としたことを特徴とする請求項１から請求項４までのいずれかの項に記載の飼育水槽。
【請求項６】
前記ペットボトルに装着したキャップの中央に保持穴を開けて、吊り下げ具の下端軸を挿通し、キャップの内側に離脱不能に係止してあることを特徴とする請求項１から請求項５までのいずれかの項に記載の簡易型飼育水槽。
【考案の詳細な説明】
【技術分野】
【０００１】
本考案は、ペットボトルを利用した簡易式の飼育水槽に関する。
【背景技術】
【０００２】
いわゆるペットボトルを廃物利用して観賞魚の飼育水槽とする発想が特開2000-83510や実用新案登録第3092320 号で提案されている。
特許文献１の発明は、水槽の水中に沈降させてあるフィルター部に小型ポンプを循環管で配管することで飼育水を浄化する構造になっている。また特許文献２の考案は、ペットボトルの水中に配置した多孔質セラミックス又は多孔質ガラスをチューブを介してエアーポンプと接続し、飼育水中で気泡を発生させる。
【特許文献１】特開2000-83510
【特許文献２】実用新案登録第3092320 号
【考案の開示】
【考案が解決しようとする課題】
【０００３】
ところが、特許文献１、２のいずれも、小型ポンプやエアーポンプが必要となり、ペットボトルを廃物利用する簡易型の飼育水槽としてはコスト高となり、かつ構造が複雑で、取り扱いも面倒である。したがって、子どもたちに管理を任せるには不適当である。
本考案の技術的課題は、このような問題に着目し、清涼飲料水などの容器として使用し廃棄されるペットボトルを利用して観賞魚の飼育水槽とする際に、風力を利用して曝気可能とすると共に、飼育水だけを容易に交換可能とし、かつ自然な環境を演出し癒し効果を期待可能な飼育水槽を実現する。
【課題を解決するための手段】
【０００４】
本考案の技術的課題は次のような手段によって解決される。請求項１の簡易型飼育水槽は、容器として使用後のペットボトルの肩部に給水用の大開口を開け、反対側には排水用の小穴を複数開けてある。しかも、風力で回転するプロペラの鉛直軸又は横軸で回転駆動される水車をペットボトルに内蔵して、水車の回転で飼育水を曝気する構造としてある。
水車としては、各種形態の水車やブラシ車などを利用できる。
このように、風力で回転するプロペラの鉛直軸又は横軸で回転駆動される水車をペットボトルに内蔵して、水車で水面を攪拌し曝気する構造としてあるため、ペットボトルの外部で発生している風力を有効利用して飼育水を曝気でき、安価にかつ簡易構造の飼育水槽を実現できる。
また、使用後のペットボトルの肩部に大開口を開けて、飼育水の給水用とし、反対側に複数の小穴を開けて排水用としてあるため、給排水が容易になる。特に、飼育中の観賞魚などが通過できない程度の小穴にしておけば、排水の際に飼育魚が逃げ出すのを防止できる。図２、図３のように、大開口や小穴の付近にプロペラを配設すれば、水槽内に常時新鮮な外気を供給できる。
【０００５】
請求項２の簡易型飼育水槽は、前記の横軸で回転駆動される水車の複数の水受け部は、下側位置で飼育水を掬い上げ、上側に来ると放出する構成になっていることを特徴とする請求項１に記載の簡易型飼育水槽である。
このように、プロペラの横軸で回転駆動される水車の外周部に複数の水受け部を配設してあり、それぞれの水受け部は、下側の飼育水の中では水を掬い上げ、上側に来ると放出する構成になっているので、水車が回転すると、各水受け部によって下側の飼育水を掬い上げて回転上昇し、上側に来ると放出し放水する。その結果、放出された水が外気と接して酸素を吸収しながら、下部の飼育水中に落下し合流するので、効果的に曝気される。
【０００６】
請求項３の簡易型飼育水槽は、前記の鉛直軸で回転駆動される水車を水面位置に設け、水面と平行方向に回転して水面付近を曝気する構成としたことを特徴とする請求項１に記載の簡易型飼育水槽である。
このように、プロペラ鉛直軸で回転駆動される水車を水面の位置に設け、水面と平行方向に回転して水面付近を曝気する構成としたため、水車の全羽根で一斉に水面を攪拌し曝気できる。
【０００７】
請求項４の簡易型飼育水槽は、風力で回転するプロペラの横軸で回転駆動される滑車をペットボトル内に設け、空隙および／又は抵抗部を持つ循環体を前記滑車にベルト状に保持させることで、循環体が空間と水中を循環移動する構造としてある。
このように、風力で回転するプロペラ横軸で駆動される滑車をペットボトル内に設け、空隙つきの循環体を前記滑車にベルト状に嵌入保持させることで、循環体が上部空間と水中を循環移動する構造としたため、外気中の部分が水中に循環移動することで、空隙部から水中に酸素を供給でき、深水部の曝気作用も可能となる。
また、水に対する抵抗部を有する循環体を水面部と深水部との間を周回循環させると、酸素の多い水面部と酸素の少ない深水部との間が攪拌され混合されるので、深水部の酸欠も防止される。
【０００８】
請求項５の簡易型飼育水槽は、生け花用水を入れる容器を前記水槽の水中に立て、容器開口が水槽の上部空間に開口するように、引っ掛け手段で前記大開口の縁に引っ掛け保持させる構造となっている。
このように、生け花用水を入れる容器を前記水槽の水中に立て、容器開口が水槽の上部空間に開口するように、引っ掛け手段で前記大開口の縁に引っ掛け保持させておけば、大開口から生け花容器に生け花を差し込んでおくことによって、生け花を楽しむこともできる。また、トンボや蝶が止まれる竹枝などを差し込んでおくと、自然の又は模型のトンボや蝶が止まることができ、よき自然環境を演出できる。
【０００９】
請求項６の簡易型飼育水槽は、前記ペットボトルに装着したキャップの中央に保持穴を開けて、吊り下げ具の下端軸を挿通し、キャップの内側に離脱不能に係止してある。
このように、前記ペットボトルに装着したキャップの中央に保持穴を開けて、吊り下げ具の下端軸を挿通して、下端軸下端を、キャップの内側に離脱不能に係止してあるので、飼育水の入ったペットボトルを容易に吊り下げ運搬したり、吊り下げて観賞したりもできる。下端軸の下端にナットを嵌めて係止してもよいし、下端を丸めて瘤状に形成してもよい。さらに、キャップ内面に５円玉を重ねて、その下側で下端軸の下端を係止すると、飼育水入りのペットボトルの重みがキャップ内面に分散される。
【考案の効果】
【００１０】
請求項１のように、風力で回転するプロペラの鉛直軸又は横軸で回転駆動される水車をペットボトルに内蔵して、水車で水面を攪拌し曝気する構造としてあるため、ペットボトルの外部で発生している風力を有効利用して、ペットボトル中の飼育水を曝気でき、安価にかつ簡易構造の飼育水槽を実現できる。
また、使用後のペットボトルの肩部に大開口を開けて、飼育水の給水用とし、反対側に複数の小穴を開けて排水用としてあるため、給排水が容易になり、排水の際に飼育魚が逃げ出すのを防止できる。
【００１１】
請求項２のように、プロペラの横軸で回転駆動される水車の外周部に複数の水受け部を配設してあり、それぞれの水受け部は、下側の飼育水の中では水を掬い上げ、上側に来ると放出する構成になっているので、水車が回転すると、各水受け部によって下側の飼育水を掬い上げて回転上昇し、上側に来ると放出し放水する。その結果、放出された水が外気と接して酸素を吸収してがら、下部の飼育水中に落下し合流するので、効果的に曝気される。
【００１２】
請求項３のように、プロペラ鉛直軸で回転駆動される水車を水面の位置に設け、水面と平行方向に回転して水面付近を曝気する構成としたため、水車の全羽根で一斉に水面を攪拌し曝気できる。
【００１３】
請求項４のように、風力で回転するプロペラの横軸で回転駆動される滑車をペットボトル内に設け、空隙つきの循環体を前記滑車にベルト状に嵌入保持させることで、循環体が上部空間と水中を循環移動する構造としたため、外気中の部分が水中に循環移動することで、空隙部から水中に酸素が供給でき、深水部の曝気も可能となる。
また、水に対する抵抗部を有する循環体を水面部と深水部との間を循環回転させると、酸素の多い水面部と酸素の少ない深水部との間が攪拌され混合されるので、深水部の酸欠も防止される。
【００１４】
請求項５のように、生け花用水を入れる容器を前記水槽の水中に立て、容器開口が水槽の上部空間に開口するように、引っ掛け手段で前記大開口の縁に引っ掛け保持させておけば、大開口から生け花容器に生け花を差し込んでおくことによって、生け花を楽しむこともできる。また、トンボや蝶が止まれる竹枝などを差し込んでおくと、自然の又は模型のトンボや蝶が止まることができ、よき自然環境を演出できる。
【００１５】
請求項６のように、前記ペットボトルに装着したキャップの中央に保持穴を開けて、吊り下げ具の下端軸を挿通し、下端軸下端を、キャップの内側に離脱不能に係止してあるので、飼育水の入ったペットボトルを容易に吊り下げ保持したり、吊り下げて観賞したりもできる。
【考案を実施するための最良の形態】
【００１６】
次に本考案によるペットボトル式の飼育水槽が実際上どのように具体化されるか実施形態を説明する。図１はペットボトル式の飼育水槽の全容を示す斜視図で、曝気手段などは装備してない状態である。
１がペットボトルで、清涼飲料水などの容器として使用した後の、不用となった容器を有効利用する。内部には飼育水Ｗを入れるが、観賞魚などを飼育して汚れた場合、汚染水を排水するための小穴２…を複数個開けてある。開ける位置としては、ペットボトル上部の肩部が最適である。サイズは２〜８ｍｍ程度が適しているが、特に限定はされない。
小穴２…の反対側には、大きめの開口３を開けて、飼育水を入れるのに使用する。サイズは、２〜５ｃｍ程度が適しているが、特に限定はされない。
小穴２…や大開口３は、刃物でカットして開けると、鋭いエッジが発生して危険であるから、加熱した鉄パイプの先端を押し当てて、その熱で熱溶融させて開けると、丸みを帯びた開口縁となるので、安全であり、強度も高くなる。
【００１７】
キャップ７に取付けたリング４は、飼育水Ｗの入ったペットボトル１を吊り下げ用で、吊り下げ保持したり、引っ掛けたりできる。
リング４の下端軸４１は、キャップ７の中央に開けた保持穴７１に挿通し、図３のように、内部に係止してある。図３では、キャップ７の内面に５円玉ｃを重ねて、その下側で下端軸４１の下端を係止しているので、キャップ７の全面で荷重を支持できる。なお、図３のように口筒部１ａに一対の横穴ｈ・ｈを開けておき、逆Ｕ字状の吊り具の両下端を挿入して上向きに折り返してフック形状とすることもできる。
図２のようにキャップ７で鉛直軸５を支持する場合は、ペットボトル１を静置した際に転倒しないように、ペットボトル底の下に、面積の広い安定板Ｂを接着固定しておくのがよい。
【００１８】
飼育水Ｗの水面は、小穴２…や大開口３で外気に露出しているが、水面の狭いペットボトルの飼育水Ｗ中で観賞魚などを飼育するには、酸素不足である。
従来のようよエアーポンプを使用して曝気すると、高価となり、構造が複雑で、管理も面倒であるので、ペットボトル式の簡易水槽としては不向きである。
【００１９】
そこで、本考案は、風力で回転するプロペラの回転力を利用して曝気する構造を採っている。図２（１）は、風力曝気構造の第１実施形態を示す縦断面図である。鉛直軸５をペットボトル１中に挿入して立て、下端は、ペットボトルの内底面に接着固定してある軸受け円筒６中に挿入し、上部はキャップ７の中央穴７１に挿通してある。
鉛直軸５の上端にはプロペラ８を取付け固定してある。ペットボトル１内において、傾斜羽根９１〜９４を有する水面羽根車９を、水面に浮く程度の位置に設け、そのハブ筒９５に鉛直軸５を挿通し、止めネジ９６で固定してある。
【００２０】
図２（２）は、（１）図のＡ−Ａ方向の平面図であり、前記のハブ筒９５から放射状に水平方向に延びた複数の前下がりの傾斜羽根91〜94を有している。
いま、プロペラ８で鉛直軸５が回転すると、水面羽根車９が矢印ａ１方向に回転し、各傾斜羽根９１〜９４の前下がりの前端ｆが水中に浅く潜った状態で回転し、後上がりの後端ｒは水面より上側に露出する。その結果、各傾斜羽根９１〜９４の前端ｆですくい上げた水が傾斜面を上昇し、後端ｒから水面上に落下する。
このような上昇・落下水流が各傾斜羽根９１〜９４で発生するため、水面羽根車９の全面で水面付近の飼育水を上昇・落下させて空気と混合し曝気するので、酸欠が抑制される。
【００２１】
前記の各傾斜羽根９１〜９４の両側にわずかな立ち上がりを設けて、斜面上昇水流の横流れを防ぐと、曝気水量を増やせる。
各傾斜羽根91〜94の後端ｒにわずかな立ち上がり部を設けておくと、傾斜面を上昇して来た水が後端ｒの立ち上がり部に衝突して飛沫が発生し、上部空間Ｓに飛散して落下するので、曝気効果が大きい。
なお、ドーナツ状の発泡スチロールなどの浮体の上に前記の水面羽根車９を載せておくと、水面羽根車９は常時水面に位置するので、止めネジ９６を外すこともできる。
前記の水面羽根車９に代えて図４のような放射状羽根車の軸を立てて回転させ、水面を攪拌してもよい。
【００２２】
図３〜図７は、ペットボトル１の水面の上部空間Ｓ中に横軸１０を挿通し、ペットボトル１の外部において、横向きのプロペラ８を取付けてある。したがって、横軸１０に取付けた羽根車１１やブラシ車１２の回転によって、曝気が行われる。
図４は図３のＢ−Ｂ方向の羽根車１１側面図で、ハブ円筒１１ｃに複数の羽根１１…が放射状に取付け固形してある。ハブ円筒１１ｃとその中に挿通してある横軸10は固定されており、各羽根１１…の先端は、水面と接する状態にする。
いま、プロペラ８で横軸１０が回転すると、各羽根１１が矢印ａ２方向に回転して、各羽根１１の先端が水面を蹴るため、矢印ａ３方向に飛沫が発生し、水面に落下する。あるいは、ペットボトル１の内面に付着し、内面を伝って水面に落下する。
このような水流の繰り返しによって、水面の飼育水が曝気される。
【００２３】
羽根車１１の各羽根１１…は板状であるのに対し、ブラシ車１２は、ハブ円筒１２ｃの外面に放射状に無数の線材がブラシ状に植毛されている。
したがって、各ブラシの先端が水面に接する状態で連続回転すると、ブラシ状の各線材の先端で水面を蹴るので、無数の飛沫が発生し、各線材を濡らした水は各線材を伝って水面に流れ落ちる。その結果、大気と接する機会と面積が増えるため、曝気作用が優れている。
図３は、羽根車１１とブラシ車１２の両方を併用しているが、片方だけでも足りる。あるいは、羽根車１１やブラシ車１２の幅を増大して、曝気面積を横軸１０の平行方向に延長してもよい。
【００２４】
図３、図４の羽根車１１の各羽根１１…は平板状であるのに対し、図５のように、各種の羽根形状を採択できる。例えば、羽根ａは図３、図４の羽根と同様な平板状であるのに対し、羽根ｂは平板の先端をブラシ状に切り裂いてあるため、水面を蹴った際に発生する飛沫ないし水滴の数が増加する。
羽根ｃは、側面から見た場合、三角溝状をしており、羽根ｄは半円溝状、羽根ｅは浅い円弧溝状をしている。
羽根ｆと羽根ｇは、三角溝状であるが、根元側又は先端側が深くなっている。羽根ｈは四角溝状である。
【００２５】
図３、図４の羽根車の羽根形状は、このような各種形態の中から選択使用できる。各羽根ａ…ｈは、左右両側を側壁で塞ぐことによって、水面ですくい上げた水が横から流出するのを防ぎ、大量の飼育水を掬い上げ曝気可能となる。その結果、横軸10の真上まですくい上げてから、反対方向に一斉に放出することができるので、曝気効果が大きい。
【００２６】
図６は、図５の羽根ｄ、ｈを更に改良して、飼育水の掬い上げ効果を高めた実施形態である。２４はストローなどの円筒であり、竹製や木製などの断面が真円の棒２５を挿入して片方を閉鎖すると共に差し込み手段とする。円筒２４の先端は真円の栓２６を挿入して閉鎖する。そして、栓２６と真円棒２５との間の側壁を上側のみ切除して、上向きの開口２７を開ける。横軸１０を挿通し固定するハブ10ｈに、各円筒２４の真円棒２５を放射状に差し込んで固定してある。
いま、プロペラ横軸１０によってハブ10ｈが矢印ａ２方向に連続回転すると、下側の円筒２４中に開口２７から飼育水Ｗが入り込み、飼育水を掬い上げて回転上昇する。そして、上側に到来すると、飼育水の入口となった開口２７が反転して下端に来るので、円筒２４中の水が空中に放出され、酸素と混合されてから、再び飼育水Ｗ中に落下合流する。したがって、大量に確実に飼育水の曝気が可能となる。
なお、円筒２４先端の閉鎖手法は任意であり、ストローや合成樹脂製円筒を両側から熱融着して閉鎖してもよいし、キャップを被せて接着してもよい。
【００２７】
以上の曝気水車は、水面で水車が回転するので、水面付近を曝気するだけであって、ペットボトル１中の深い部分は曝気できない。
これに対し、図７は、プロペラで回転駆動される滑車１３にベルト状にかけた循環体１４が深水部と浅水部との間を循環移動することによって、曝気された水面付近の飼育水と深水部とを混合し、曝気効果が底側の深水部にも及ぶようにしている。
循環体１４は、縄を撚ったようなエンドレス体であり、飼育水に対し抵抗となる羽根状部を多数有する構成が好ましい。その結果、滑車１３が矢印ａ４方向に回転すると、循環体１４自体の無数の羽根によって、循環体１４の周回部付近の飼育水が攪拌される。しかも、循環体１４は水面側と底側の深水部との間を周回循環するので、水面側と深水部との間の混合が行われ、結果的に深水部にも曝気された浄水が供給される。
【００２８】
循環体１４として、空隙を可能な限り多く有するように構成された多孔リングを用いてベルト状に周回させると、空隙中に上部空間Ｓで供給された空気が深水部で飼育水と接したり、深水部で気泡となって上昇する際に、深水部にも酸素が供給される。
表面が複雑で、水に対する抵抗が大きければ、水面と深水部との間の混合効果も期待できる。
【００２９】
図８（１）のように、軟質合成樹脂のチューブ１５中に竹の節状の仕切り壁１６を所定の間隔で設けて、該仕切り壁１６寄りに空気の出入り口１７を開けてあるエンドレスリング１４を使用して、空気口１７側を下向きにして回転させると、深水部で下降移動から上昇移動に方向転換した時点で、内部の空気が空気口１７から気泡となって上昇するので、深水部の曝気が可能となる。
水面から上昇して滑車１３で下降移動に方向転換すると、内部の水が空気口１７から排水されて、代わりに空気が流入するので、次いで水中に下降して、再度気泡を発生し、曝気が可能となる。
なお、図８（２）のように、軟質合成樹脂のチューブ１５を一定間隔で両側から押しつぶして熱融着することにより、容易に仕切り可能である。
【００３０】
図９は、ペットボトル中の観賞魚に加えて、トンボや蝶などの自然の昆虫や草花なども同時に楽しみ、癒し効果が増大可能とした実施形態であり、口筒部１ａ中にコルクや軟質合成樹脂などの栓１８を挿入し、該栓１８に竹や木の枝１９などを差し込んで固定してある。
そのため、竹枝１９の上に自然のトンボや蝶が飛んで来て止まることができる。自然のトンボや蝶が期待できない場合は、模型や手作りのトンボ２０や蝶を止まらせることで模擬体験できる。
前記のプロペラ８を風上に向けるためには、風向きをより正確に知る必要がある。そのために、竹枝１９の上端に、風見鶏や風向計の立て軸を挿入して置けば、風向き検出にも利用できる。
【００３１】
また、食品容器用の合成樹脂チューブの上端を切除して試験管状の水管２１を形成し、その上端にフック２２をガムテープ２３などを巻き付けて取付けてある。したがって、内部に水を入れると共に自然の花２４や草木などを差した状態で、前記の大開口３からペットボトル１中に挿入し、花２４や草木の上部を大開口３から外に出しておくと、生け花として楽しむことができる。
このように、生け花用の水が飼育水と混ざって飼育水が劣化するのを防ぐために、別の水管２１に取付けたフック２２を大開口３の縁に引っ掛けることで、ペットボトル内に配設可能としてある。なお、２５は水草である。
【００３２】
図１０は横軸１０の高さ調節凹部を示す正面図である。（１）図は前記の小穴２の正面図で、凹部ｘ・ｙ・ｚのように段違いの凹部を設けてあるので、前記の横軸１０を、所望の高さの凹部ｘ・ｙ・ｚを選んで挿入すれば、水面に対する水車の羽根先端の高さを調節できる。
同様にして、図１０（２）のように、大開口３においても、その一部を利用して、高さの異なる凹部ｘ・ｙ・ｚを形成してあるので、水面の高さに応じて、所望の高さの凹部ｘ・ｙ・ｚを選んで横軸１０を載せれば、高さ調節が可能となる。
【産業上の利用可能性】
【００３３】
以上のように、本考案によると、風力を利用してプロペラの回転力で曝気可能とすると共に、飼育水だけを容易に交換可能とし、かつ自然な環境を演出可能なため、ペットボトルを廃物利用しても、癒し効果の大きい、観賞魚の飼育水槽を容易に安価に実現でき、普及が期待できる。
【図面の簡単な説明】
【００３４】
【図１】ペットボトル式の飼育水槽の全容を示す斜視図である。
【図２】鉛直軸による風力式曝気構造で、（１）図は全容を示す縦断面図、（２）図は、（１）図のＡ−Ａ方向の平面図である。
【図３】羽根車とブラシ車を横軸に取付けた曝気構造である。
【図４】図３のＢ−Ｂ方向の羽根車側面図である。
【図５】各種の羽根形状を例示する羽根車側面図である。
【図６】水の掬い上げ量を増やして曝気効果を高めた羽根車の縦断面図である。
【図７】深水部と浅水部間の混合用又は深水部曝気用の循環体を示す正面図と側面図である。
【図８】軟質合成樹脂のチューブで形成した深水部曝気用の循環体を示す縦断面図である。
【図９】トンボや蝶、草花なども観賞可能な実施形態の縦断面図である。
【図１０】プロペラ横軸の高さ調節凹部を示す正面図である。
【符号の説明】
【００３５】
１  ペットボトル
２…  小穴
３  大開口
４  リング
５  鉛直軸
６  軸受け円筒
７  キャップ
８  プロペラ
９  水面羽根車
９１〜９４  傾斜羽根
１０  横軸
１１  羽根車
10ｈ・１１ｃ・１２ｃ・９５  ハブ筒
１２  ブラシ車
１３  滑車
１４  ベルト状の循環体
１５  軟質合成樹脂のチューブ
１６  仕切り
１７  空気出入り口
１８  栓
１９  竹や木の枝
２０  トンボ
２１  水管
２２  フック
２３  ガムテープ
２４  花や草木
２５  水草
【図１】
0003142504.tif 000003
【図２】
0003142504.tif 000004
【図３】
0003142504.tif 000005
【図４】
0003142504.tif 000006
【図５】
0003142504.tif 000007
【図６】
0003142504.tif 000008
【図７】
0003142504.tif 000009
【図８】
0003142504.tif 000010
【図９】
0003142504.tif 000011
【図１０】
0003142504.tif 000012